(57)【要約】【課題】非使用時のヘッドホンのコードの絡まりを低減して使用性を向上できるヘッドホン装置及びヘッドホン装置用のリモートコントローラを提供する。【解決手段】記録媒体を収納して記録媒体に記録された音声を再生する再生部２と、再生部２に接続して再生部２を遠隔操作するリモートコントローラ１０と、リモートコントローラ１０に接続されるヘッドホン２０とを備えたヘッドホン装置１において、リモートコントローラ１０は、衣服等に取り付けるためのクリップ１２を有し、ヘッドホン２０のコード２０ａを挿通してクリップ１２により押止できるように位置決めするアーチ状の挿通部１３、１４を設けた。【選択図】      図１
2005019575.tif 000002
【特許請求の範囲】
【請求項１】
音声を再生する再生部にヘッドホンを接続して音声を聴くヘッドホン装置の該再生部と該ヘッドホンとの間に配されるとともに該再生部を遠隔操作するリモートコントローラにおいて、ヘッドホンが接続される本体部と、前記本体部に一体化されるとともに所望の部位を挟持して前記本体部を固定できるクリップとを備え、ヘッドホンのコードを挿通して前記クリップにより押止できるように位置決めする挿通部を前記本体部に設けたことを特徴とするリモートコントローラ。
【請求項２】
前記挿通部は前記本体部からアーチ状に突設して対向配置される第１、第２アーチ状部から成り、第１、第２アーチ状部に挿通された第１アーチ状部と第２アーチ状部との間のコードを前記クリップにより押止することを特徴とする請求項１に記載のリモートコントローラ。
【請求項３】
音声を再生する再生部と、前記再生部に接続されるヘッドホンと、前記再生部と前記ヘッドホンとの間に配して前記再生部を遠隔操作するリモートコントローラとを備えたヘッドホン装置において、前記リモートコントローラは、前記ヘッドホンを接続する本体部と、前記本体部に一体化されるとともに所望の部位を挟持して前記本体部を固定できるクリップとを有し、前記ヘッドホンのコードを挿通して前記クリップにより押止できるように位置決めする挿通部を前記本体部に設けたことを特徴とするヘッドホン装置。
【請求項４】
前記挿通部は前記本体部からアーチ状に突設して対向配置される第１、第２アーチ状部から成り、第１、第２アーチ状部に挿通された第１アーチ状部と第２アーチ状部との間のコードを前記クリップにより押止することを特徴とする請求項３に記載のヘッドホン装置。
【発明の詳細な説明】
【０００１】
【発明の属する技術分野】
本発明は、記録媒体を再生部により再生してヘッドホンにより音声を聞くことのできるヘッドホンステレオ等のヘッドホン装置に関し、特に、該再生部を遠隔操作するリモートコントローラを有するヘッドホン装置に関する。また本発明は、ヘッドホン装置に取付けられ、記録媒体を再生する再生部を遠隔操作するリモートコントローラに関する。
【０００２】
【従来の技術】
ヘッドホンステレオ等のヘッドホン装置は、カセットテープ、ＣＤ、ＭＤ等の記録媒体を収納して再生する再生部にヘッドホンを接続して音声を聞くことができる。再生部とヘッドホンとの間には再生部を遠隔操作するリモートコントローラが配されている。これにより、リモートコントローラを操作して本体となる再生部を鞄等に入れたままで選曲や音量調節等を行えるようになっている。
【０００３】
ヘッドホン装置の非使用時には再生部とともにヘッドホン及びリモートコントローラが鞄等に収納される。この時、ヘッドホンに絡まりが生じやすく、ヘッドホン装置の使用時に絡まりを解くための煩雑な作業を要するためヘッドホン装置の使用性が悪い問題があった。
【０００４】
特許文献１にはコードの経路中に設置してコードの一部を収納する収納具が開示されている。これにより、ヘッドホンのコードの一部を収納して最適な長さに調節し、ヘッドホンの絡まりを低減することができる。
【０００５】
【特許文献１】
特開２００１−３２６４７６号公報（第２頁−第３頁、第４図）
【０００６】
【発明が解決しようとする課題】
しかしながら、上記特許文献１に開示された構成によると、ヘッドホン装置の非使用時にはヘッドホンの先端が自由に移動できるためコードの絡まりが尚発生する問題があった。ヘッドホンのコードを収納具に収納して使用時よりも短くすることにより絡まりを防止することも可能であるが、使用時にコードを引出すとともに非使用時にコードを収容する煩雑な作業が必要となる新たな問題が生じる。
【０００７】
本発明は、非使用時のヘッドホンのコードの絡まりを簡単に低減して使用性を向上できるヘッドホン装置及びヘッドホン装置用のリモートコントローラを提供することを目的とする。
【０００８】
【課題を解決するための手段】
上記目的を達成するために本発明は、音声を再生する再生部にヘッドホンを接続して音声を聴くヘッドホン装置の該再生部と該ヘッドホンとの間に配されるとともに該再生部を遠隔操作するリモートコントローラにおいて、ヘッドホンが接続される本体部と、前記本体部に一体化されるとともに所望の部位を挟持して前記本体部を固定できるクリップとを備え、ヘッドホンのコードを挿通して前記クリップにより押止できるように位置決めする挿通部を前記本体部に設けたことを特徴としている。
【０００９】
この構成によると、記録媒体を収納して再生する再生部にリモートコントローラが接続され、リモートコントローラにヘッドホンが接続される。リモートコントローラは本体部に設けたクリップによって衣服等に固定され、再生部を遠隔操作して選曲や音量調節等が行われる。ヘッドホン装置の非使用時にはクリップによりヘッドホンのコードを押止する。この時、ヘッドホンのコードはクリップの押止位置に配されるように該押止位置の近傍に設けた挿通部に挿通して位置決めされる。
【００１０】
挿通部を対向配置されるアーチ状の第１、第２アーチ状部により形成すると、第１、第２アーチ状部に挿通された第１アーチ状部と第２アーチ状部との間のコードをクリップにより容易に押止することができる。
【００１１】
また本発明は、音声を再生する再生部と、前記再生部に接続されるヘッドホンと、前記再生部と前記ヘッドホンとの間に配して前記再生部を遠隔操作するリモートコントローラとを備えたヘッドホン装置において、前記リモートコントローラは、前記ヘッドホンを接続する本体部と、前記本体部に一体化されるとともに所望の部位を挟持して前記本体部を固定できるクリップとを有し、前記ヘッドホンのコードを挿通して前記クリップにより押止できるように位置決めする挿通部を前記本体部に設けたことを特徴としている。
【００１２】
【発明の実施の形態】
以下に本発明の実施形態を図面を参照して説明する。図１は一実施形態のヘッドホン装置を示す斜視図である。ヘッドホン装置１はカセットテープ、ＣＤ、ＭＤ等の記録媒体を再生部２に収納して記録媒体に記録された音声を再生する。再生部２にはコード１０ｂを介してコネクタ１０ａによりリモートコントローラ１０が接続されている。
【００１３】
リモートコントローラ１０にはコード２０ａを介してヘッドホン２０が接続されている。これにより再生部２で再生された音声をヘッドホン２０により聞くことができるようになっている。ヘッドホン２０をリモートコントローラ１０に対して着脱可能に設けてもよい。
【００１４】
リモートコントローラ１０は本体部１０の表面に操作スイッチ（不図示）を有し、背面にバネ等で一方向に付勢されるクリップ１２が枢支されている。これにより、再生部２を鞄等に収納したままクリップ１２で本体部１１を衣服等に固定し、リモートコントローラ１０により再生部２を遠隔操作して記録媒体の選曲や再生部２の音量調節等を行うことができるようになっている。
【００１５】
図２はリモートコントローラ１０の本体部１０の裏面の詳細を示す斜視図である。本体部１０の裏面には、アーチ状の第１、第２アーチ状部１３、１４（挿通部）が突設されている。第１、第２アーチ状部１３、１４は挿通孔１３ａ、１４ａが形成され、挿通孔１３ａ、１４ａにヘッドホン２０のコード２０ａが挿通されている。
【００１６】
また、第１、第２アーチ状部１３、１４は、第１、第２アーチ状部１３、１４の間にクリップ１２が嵌合するように対向配置されている。これにより、リモートコントローラ１０を衣服等から取り外した際に、クリップ１２の一端が第１、第２アーチ状部１３、１４の間のコード２０ａを押止することができる。
【００１７】
従って、ヘッドホン装置１の非使用時にコード２０ａを牽引して第１、第２アーチ状部１３、１４から突出するヘッドホン２０の自由端が短くなるように保持することができる。その結果、鞄等に収納されたヘッドホン２０の自由端の移動が規制され、ヘッドホン２０の絡まりを簡単に防止することができる。また、ヘッドホン装置１の使用時にはクリップ１２の付勢力に抗してコード２０ａの押止を解除し、コード２０ａを牽引して簡単な操作によりヘッドホン２０を使用することができる。
【００１８】
尚、第１、第２アーチ状部１３、１４はコード２０ａを挿通できるように本体部１０に対して着脱可能に形成されている。径方向に延びるスリットを第１、第２アーチ状部１３、１４に設け、該スリットを介してコード２０ａを第１、第２アーチ状部１３、１４に装着してもよい。
【００１９】
本実施形態において、第１、第２アーチ状部１３、１４のいずれか一方のみから成る挿通部をクリップ１２の押止位置の近傍に設けてもよい。このようにしてもクリップ１２の押止位置にコード２０ａを位置決めすることができ、ヘッドホン装置１の非使用時のヘッドホン２０の絡まりを簡単に防止することができる。
【００２０】
【発明の効果】
本発明によると、ヘッドホンのコードを挿通してクリップにより押止できるように位置決めする挿通部を設けたので、ヘッドホン装置の非使用時にコードを牽引して挿通部から突出するヘッドホンの自由端が短くなるように保持することができる。その結果、鞄等に収納されたヘッドホンの自由端の移動が規制され、ヘッドホンの絡まりを簡単に防止してヘッドホン装置の使用性を向上させることができる。
【００２１】
また本発明によると、挿通部がアーチ状に突設して対向配置される第１、第２アーチ状部から成り、第１、第２アーチ状部間のコードをクリップにより押止するので、コードを容易且つ確実にクリップの押止位置に配置することができる。
【図面の簡単な説明】
【図１】は、本発明の実施形態のヘッドホン装置を示す斜視図である。
【図２】は、本発明の実施形態のヘッドホン装置のリモートコントローラの詳細を示す斜視図である。
【符号の説明】
１    ヘッドホン装置
２    再生部
１０    リモートコントローラ
１１    本体部
１２    クリップ
１３    第１アーチ状部
１３ａ、１４ａ  挿通孔
１４    第２アーチ状部
２０    ヘッドホン
２０ａ  コード
【図１】
2005019575.tif 000003
【図２】
2005019575.tif 000004